(57)【特許請求の範囲】
【請求項１】
ユーザデータ及び制御データを交換するための少なくとも１つの基地局と該基地局に割り当てられた複数の端末とを含むワイヤレスネットワークであって、
上記基地局は、少なくとも１つの端末によって送信された信号列を相関させ、受信され及び相関された上記信号列から発生したパルスを検出する手段を含み、
前記端末は、割り当てられている上記基地局と同期した後、上記信号列を用いてコンテンションチャネルを要求し、
上記基地局は、信号列の検出後に、ダウンリンク一斉同報制御チャネルを介して上記複数の端末に準備メッセージを送信し、該準備メッセージは、信号列を送信した端末が、該準備メッセージ内で示されているコンテンションチャネルを使用可能であることを示し、該コンテンションチャネルは連続して利用することはできない、ワイヤレスネットワーク。
【請求項２】
端末は、送信側の基準フレームの或る時間スロットの間に信号列を送信し、上記基地局から準備メッセージを受信した後に、少なくとも１つのコンテンションチャネルを介して端末識別子及び／又はデータパケットを送信する、請求項１記載のワイヤレスネットワーク。
【請求項３】
上記基地局は、信号列を受信した後に少なくとも１つのパルスを発生する整合フィルタと、ピーク検出器とを含み、
上記ピーク検出器は、送信側の基準フレームの或る時間スロットの間に上記整合フィルタの出力のピークを検出する、請求項１記載のワイヤレスネットワーク。
【請求項４】
端末は、送信側の基準フレームの特定の時間スロットの間にゴールド（Gold）列、カサミ（Kasami）列、又はゴレー（Golay）列を信号列として送信する、請求項１記載のワイヤレスネットワーク。
【請求項５】
上記基地局は、上記信号列を検出した後に、上記端末によって使用される１つ以上のコンテンションチャネルについて上記準備メッセージを送信する、請求項１記載のワイヤレスネットワーク。
【請求項６】
上記基地局から所定の時間の間に上記信号列の受信の承認を受信しなかった場合、又はコンテンションチャネルが割り当てられた後に上記コンテンションチャネルを介して送信されたデータの受信の承認を受信しなかった場合、端末は信号列を再送信する、請求項１記載のワイヤレスネットワーク。
【請求項７】
所定の時間の間に端末が上記基地局から上記信号列の受信の承認を受信しなかった場合、上記端末は、最大エネルギー値まで増加されたエネルギーで信号列を再送信する、請求項１記載のワイヤレスネットワーク。
【請求項８】
端末は、送信側の基準フレームの様々な決められた時間スロットの内の１つの間に信号列を送信し、
上記端末は、上記基地局から準備メッセージを受信した後、上記準備メッセージが各自の時間スロットを示す場合にのみ少なくとも１つのコンテンションチャネルを介して端末識別子及び／又はデータパケットを送信する、請求項２記載のワイヤレスネットワーク。
【請求項９】
端末は、無線セル内で使用される複数の信号列の一部である信号列を送信する、請求項１記載のワイヤレスネットワーク。
【請求項１０】
端末は、異なるデータレートを有する複数のコンテンションチャネルの内の１つを上記基地局に要求するために信号列を選択する、請求項９記載のワイヤレスネットワーク。
【請求項１１】
ワイヤレスネットワークにおける基地局であって、該ワイヤレスネットワークは、当該基地局に割り当てられた複数の端末を含み、ユーザデータ及び制御データを交換し、当該基地局は、
少なくとも１つの端末によって送信された信号列を相関させ、受信され及び相関された上記信号列から発生したパルスを検出する手段を含み、
少なくとも１つの端末によって送信された信号列がコンテンションチャネルの使用を求めていることを検出した後に、ダウンリンク一斉同報制御チャネルを介して上記複数の端末に準備メッセージを送信し、
該準備メッセージは、信号列を送信した端末が、該準備メッセージ内で示されているコンテンションチャネルを使用可能であることを示し、該コンテンションチャネルは連続して利用することはできない、基地局。
【請求項１２】
ワイヤレスネットワークにおける端末であって、該ワイヤレスネットワークは、少なくとも１つの基地局と別の端末を含み、ユーザデータ及び制御データを交換し、当該端末は、
割り当てられている上記基地局と同期した後、信号列を用いてコンテンションチャネルを要求し、
上記基地局が上記信号列を検出した後に、当該端末は、全端末へのダウンリンク一斉同報制御チャネルを介して送信された準備メッセージを上記基地局から受信し、該準備メッセージは、信号列を送信した端末が、該準備メッセージ内で示されているコンテンションチャネルを使用可能であることを示し、該コンテンションチャネルは連続して利用することはできない、端末。
【請求項１３】
ワイヤレスネットワークにおいて少なくとも１つの基地局と該基地局に割り当てられた複数の端末との間でユーザデータ及び制御データを交換する方法であって、
上記端末が、割り当てられている上記基地局と同期した後、信号列を用いてコンテンションチャネルを要求し、
上記基地局が該要求を受信し、
上記基地局が上記信号列を相関させ、
上記基地局が、受信され及び相関された上記信号列から発生したピークを検出し、
上記基地局が、信号列の検出後に、ダウンリンク一斉同報制御チャネルを介して上記複数の端末に準備メッセージを送信するステップを有し、
該準備メッセージは、信号列を送信した端末が、該準備メッセージ内で示されているコンテンションチャネルを使用可能であることを示し、該コンテンションチャネルは連続して利用することはできない、方法。
【発明の詳細な説明】
【０００１】
本発明は、ユーザデータ及び制御データを交換する少なくとも１つの基地局と複数の割当てられた端末を含む無線ネットワークに係る。
【０００２】
「ETSI SMG2, Meeting no. 24, Cork, Ireland, 1-5 December 1997, Tdoc SMG2 359/97, Concept Group Alpha − Wideband Direct-Sequence CDMA (WCDMA), EVALUATION DOCUMENT (3,0), part 1: System Description, Performance Evaluation」の文書においてＣＤＭＡ方式（符号分割多元接続）に従って動作する無線ネットワークが提案されている。無線ネットワークは、基地局と端末又は移動局がそれぞれ中に配置された複数の無線セルを含む。端末は登録されて同期された後に、例えばユーザチャネルが要求されると、ランダムアクセスチャネルＲＡＣＨと称されるコンテンションチャネルを介しランダムアクセスバーストを送信する。ランダムアクセスバーストはプリアンブル部とデータ部を含む。プリアンブル部は１６の記号（プリアンブル列）を有し、直交ゴールドコード（orthogonal Gold code）（プリアンブルコード）によって拡散される。直交ゴールドコードは２５６チップ間隔を含む。データ部は端末の識別を有するフィールド、要求されたサービス（ショートパケット伝送、専用チャネル設定等）を示すフィールド、データパケット（選択的ユーザパケット）用の選択可能なフィールド、及び誤り検出用のＣＲＣフィールドを含む。基地局から受信されたランダムアクセスバーストは整合フィルタ、プリアンブル相関器、及びピーク検出器を介しデータ部の時間遅延を推定し、データ部を評価するＲＡＫＥ回路を制御する回路部に供給される。従って、相関に基づいたピーク検出は次なるメッセージのデコーディングに使用される。そしてランダムアクセスチャネルは永久的に利用可能となる（永久チャネル）。
【０００３】
本発明は、より多くの送信の記憶容量が利用可能であるワイヤレスネットワークを提供することを目的とする。
【０００４】
上述の目的は、基地局は、コンテンションチャネルを使用する要請を示すために少なくとも１つの端末によって送信された信号列を相関させ、受信され及び相関された信号列から発生したパルスを検出する装置を含み、信号列の検出の後に、割当てられた端末のうちの１つの端末によって使用されるコンテンションチャネルを介し準備メッセージを送信するよう設けられる、冒頭部に記載されたような種類のワイヤレスネットワークによって達成される。
【０００５】
本発明のワイヤレスネットワークは、複数の無線セルを含み、その中で複数の基地局と複数の端末がワイヤレス方式によって制御データ及びユーザデータを送信するネットワークであると理解する。ワイヤレス伝送は、情報を例えば無線路、ウルトラシェル（ultrashell）路、又は赤外線路によって送信するよう使用される。
【０００６】
端末が割当てられた基地局と同期した後に、この端末は割当てられた基地局に登録されるべきである。端末は登録情報をコンテンションチャネル（ＲＡＣＨ）によって送信する。本発明では、このようなコンテンションチャネルは、信号列によって端末から要求され、常にそのような要求の後でのみ使用される。信号列が検出された後に基地局は、連続して利用できないコンテンションチャネルを供給する。この為に準備メッセージは割当てられた端末にそれぞれ送信される。
【０００７】
このような信号列は、良好な自己相関特性及び相互相関特性を有するゴレー（Golay）列、ゴールド（Gold）列又はカサミ（Kasami）列の場合がある。基地局はその中で受信した信号列の相関が行なわれる装置（例えば、整合フィルタ）を含む。相関から発生したパルスは検出される。
【０００８】
コンテンションチャネルは信号列によって要求された後にのみ利用可能なので、コンテンションチャネルは更に他の目的にも使用され得る。これは既知のワイヤレスネットワークと比較して送信の記憶容量が節約され、このコンテンションチャネルが使用される際の衝突が減少される。
【０００９】
本発明の一形態では、端末によって信号列が送信され準備メッセージを受信した後に、端末識別及び／又は少なくとも１つのデータパケットがコンテンションチャネルを介し送信される。しかし、従来では端末は複数のコンテンションチャネルを使用することはできなかった。端末は信号列を送信するために送信側の基準フレームの様々な時間スロットの内の１つのスロットを使用することが可能であり、それにより衝突の可能性がより少なくなる。本発明の一形態は衝突の可能性を減少させる更なる手段を備える。複数の信号列の中から１つの信号列を使用することが提案される。異なる信号列は異なるデータレートを有する１つ以上のコンテンションチャネルを要求するために使用される場合もある。
【００１０】
本発明の一形態による端末は、信号列の受信の承認又は１つ以上のコンテンションチャネルによって送信されたデータの受信の承認を受信しなければ、どのような手段が採られるかを示す。
【００１１】
本発明は更に、基地局、端末、及びワイヤレスネットワークにおいて少なくとも基地局と複数の割当てられた端末の間でユーザデータ及び制御データを交換する方法に係る。
【００１２】
本発明の実施例を、図面を参照し更に説明する。
【００１３】
図１は、複数の基地局１乃至３と複数の端末４乃至１４を含む、例えば無線ネットワークのようなワイヤレスネットワークを示す。幾つかの端末４乃至１４が基地局１乃至３に割当てられる。図１に示される例では、基地局１は端末４乃至７に、基地局２は端末８乃至１０に、基地局３は端末１１乃至１４に割当てられる。制御データの交換は少なくとも基地局と端末の間で行なわれる。ユーザデータの交換は基地局と端末の間、更に端末間でも行なわれる。どちらの場合も、ユーザデータの送信用のリンクは基地局によって設定される。端末４乃至１４は通常は移動局であり、静止した基地局１乃至３によって制御される。しかし、基地局１乃至３は適当である場合は移動式であることも可能である。
【００１４】
ワイヤレスネットワークでは、例えば無線信号はＦＤＭＡ（周波数分割多元接続）方式、ＴＤＭＡ（時分割多元接続）方式、及びＣＤＭＡ（符号分割多元接続）方式、或いは上記方式の組合わせに従って伝送される。
【００１５】
特殊な符号拡散方式であるＣＤＭＡ方式では、ユーザからの２値情報（データ信号）は異なるコード列によって変調される。このコード列はそのレート（チップレートとも称される）が、全体的に２値情報のレートよりもかなり高い擬似ランダム方形波信号（擬似雑音コード）を含む。擬似ランダム方形波信号の方形波パルスの長さは、チップ間隔ＴＣとして称される。１／ＴＣがチップレートである。擬似ランダム方形波信号によってデータ信号の乗算又は変調は拡散係数ＮＣ＝Ｔ／ＴＣ（Ｔはデータ信号の方形波パルスの長さ）によるスペクトラムの拡散がもたらされる。
【００１６】
ユーザデータ及び制御データは、少なくとも１つの端末と基地局の間で、基地局によって予め決められたチャネルを介し伝送される。チャネルは、周波数の範囲、時間の範囲、及び例えばＣＤＭＡ方式の場合は拡散符号によって決められる。基地局から端末への無線リンクはダウンリンクと称され、端末から基地局への無線リンクはアップリンクと称される。従って、データは基地局からダウンリンクチャネルを介し端末へ伝送され、端末からアップリンクチャネルを介し基地局へ伝送される。例えば、ダウンリンク制御チャネルが接続設定の前に基地局１から全ての端末に制御データを一斉同報通信するために設けられる。このようなチャネルはダウンリンク一斉同報通信制御チャネルと称される。接続設定の前に端末から基地局に制御データを伝送するためには、例えば基地局によって割当てられ、更に他の端末によってもアクセスされ得るアップリンク制御チャネルを使用することが可能である。複数の又は全ての端末によって使用され得るアップリンクチャネルは共通アップリンクチャネルと称される。例えば端末と基地局の間で接続が設定されると、ユーザデータはダウンリンクユーザチャネル及びアップリンクユーザチャネルを介して伝送される。１つの送信器及び１つの受信器の間でのみ設定されるチャネルは専用チャネルと称される。原則として、ユーザチャネルはリンクに特定の制御データを送信するための専用制御チャネルに付随される専用チャネルである。
【００１７】
端末を基地局に組込むためには、指定された１つの指定ランダムアクセスチャネル（ＲＡＣＨ）と称されるコンテンションチャネルで十分である。データパケットもこのような指定ランダムアクセスチャネルによって送信することが可能である。
【００１８】
基地局と端末の間でユーザデータが交換されるには、端末は基地局と同期されることが必要である。例えば、ＦＤＭＡ方式及びＴＤＭＡ方式の組合わせが使用されるＧＳＭ（汎欧州デジタル移動電話）システムから、所定のパラメータに基づいて好適な周波数範囲が決められた後に、フレームの時間的な位置が決められ（フレーム同期）、それによりデータを送信する時間的な順序が決められる。このようなフレームは、ＴＤＭＡ方式、ＦＤＭＡ方式、及びＣＤＭＡ方式において端末及び基地局のデータ同期に必要である。このようなフレームは様々なサブフレームを含むか又は複数の他の連続したフレームと一緒にされてスーパフレームを形成する場合がある。単純にするために、基準フレームとされるフレームは以下に示されるように決められる。この基準フレームは、例えばＵＭＴＳシステムにおいて１０ｍｓの長さを有するフレームである。
【００１９】
フレーム同期を行なうために、全ての端末は、基地局から送信されたパルスによって基地局と同期しなければならない。符号拡散方法（例えばＣＤＭＡ方式）が使用されない（例えばＴＤＭＡ方式が使用される）場合、パルスの長さは１ビットを送信するために必要な時間間隔と正確に一致する。符号拡散方式が使用される場合、パルスの長さは１チップ間隔に対応する。１ビット間隔は複数のチップ間隔に対応する。フレーム同期のためには、基地局によって特殊なパルス列が送信されることが必要である。パルス列の開始時刻はフレームの開始時刻と一致する。
【００２０】
以下では、端末は既に基地局と同期されているが、まだそこに登録されていないと想定する。登録するためには、端末は、指定ランダムアクセスチャネルを介し或る情報（少なくとも端末識別）を基地局に送信する必要がある。本発明では、指定ランダムアクセスチャネルは連続して利用できないので、このチャネルは端末から要求された後に基地局によって利用可能にされる。ランダムアクセスチャネルを要求するには、端末は信号列を送信する。端末によって送信されるこのような信号列は、擬似ランダム方形波信号である。この信号列は例えば、送信側の基準フレームの或る時間スロット（又は時間窓）の間に送ることが可能である。端末はダウンリンク一斉同報通信制御チャネルを介し基地局と同期した後に、基地局から上述の時間スロットについての知識が得られる。
【００２１】
基地局は整合フィルタと、端末によって送信された信号列を検出する回路内の下流側に接続されたピーク検出器を含む。基地局のピーク検出器が、受信側の基準フレームの時間スロット（又は時間窓）内の整合フィルタの出力のピークを検出すると、ランダムアクセスチャネルに対する端末からの少なくとも１つの要求があることを意味する。
【００２２】
整合フィルタは、符号拡散が使用される場合は少なくとも最大チップレートと等しく、符号拡散が使用されない場合は少なくとも最大ビットレートと等しいクロックレートで計時される。端末は、信号列の明確な検出を可能にするよう良好な自己相関特性を有する信号列を送信する。更に、信号列は良好な相互相関特性を有するべきであり、即ちネットワーク内で伝送される他の信号との相関は小さいべきである。従って、一方で、ネットワーク内で伝送され整合フィルタによって受信される他の信号は、無視できる程に小さい雑音信号としてピーク検出器によって処理され、他方で信号列は、ネットワーク内で伝送される他の信号を処理する、基地局内の他の回路要素によって無視できる程に小さい雑音信号又は干渉信号として処理される。良好な自己相関特性及び相互相関特性を有するこのような種類の信号列は、例えばJ.G. Proakisによる著書「J.G. Proakis:Digital Communications」（third edition, McGraw-Hill International Editions, 1995, pp.724-729）からゴールド（Gold）列及びカサミ（Casami）列として公知であるような列である。更にゴレー（Golay）列も使用することができる。整合フィルタの出力で発生されたパルスは、信号列のエネルギー用のパラメータである。
【００２３】
基地局は、少なくとも１つの信号列を検出すると本発明の指定ランダムアクセスチャネルが割当てられた無線セルの中の全ての端末に利用可能であるようにする。これは、基地局がダウンリンク一斉同報通信制御チャネルを介し全ての端末に準備メッセージを送信することを意味する。例えば、ＵＭＴＳのＦＤＤ（周波数分割デュプレキシング）モードでは指定ランダムアクセスチャネルはスクランブル符号と、拡散符号の群によって決められる。
【００２４】
基地局は、信号列に基づいてどの端末が信号列を送信したのかを認識することはできない。基地局から送信された準備メッセージは、特定の時間スロット（又は時間窓）の間に特定の信号列を送信した端末に、準備メッセージ内に示された１つ以上の指定ランダムアクセスチャネルが使用可能であることだけを伝える。端末は、情報を送信するためにランダムアクセスチャネルのうちの１つのチャネル又は同時に幾つかのチャネルを使用することができる。従って、信号列を送信し基地局から準備メッセージを受信した端末は１つ以上の指定ランダムアクセスチャネルを使用し、例えば基地局への登録を行なう。従って基地局は例えば割当てられた指定ランダムアクセスチャネルによって登録の要求を送った端末に、登録要求の受信を承認する。登録された後に、当該の端末は無線セルの中に含まれ、ユーザデータ及び更なる制御データを無線セルの基地局及び他の端末と交換することが可能になる。
【００２５】
１つの時間スロットの代わりに複数の時間スロットを送信側の基準フレーム内で予め決めることも可能である。このような時間スロットは信号列を送信するために端末によって使用され得る。この場合基地局は端末に使用される時間スロットを準備メッセージの中に示すべきである。
【００２６】
複数の端末が特定の時間範囲（又は時間窓）の間に信号列を同時に送信した場合、基地局はこれらの信号列を検出する。端末は、信号列を同時に送信し準備メッセージを受信した後に、例えば登録要求を同時に送信することも可能である。これらの様々な送信された登録要求は互いに干渉し合い、従って基地局によって認識されない。端末は或る所定の時間が経過した後に承認を受信しなければ、衝突があることを確認し或る任意の時間が経過した後に新しい信号列を再び送信する。
【００２７】
図２は、送信側の基準フレームＳＲＲの時間区分ＴＳにおける信号列Ｓと、受信側の基準フレームＥＲＲの時間スロットＴＥにおける基地局内の整合フィルタの出力信号を示す。信号列Ｓは列の継続期間又は列の長さＬを有する。図２では更に、伝搬遅延時間ｐが考慮される。整合フィルタの出力信号は主パルスと副パルスを含む。
【００２８】
信号列の送信用の決められた時間スロット（又は時間窓）の継続時間及び信号列の継続時間は以下のファクタに依存する。第１のファクタは、端末から基地局へ送信される信号列の伝搬遅延の推定値の正確さであり、第２のファクタは、複数チャネル伝搬に基づいた遅延拡散特徴であり、第３のファクタは、端末の信号列の自己相関特性であり、第４のファクタは端末の信号列の、隣接する無線セルの信号列との相互相関特性である。
【００２９】
ここまでは、端末がランダムアクセスチャネルを要求するために或る信号列のみを使用する例を説明した。衝突の危険を少なくするために複数の異なる信号列を使用することも可能である。使用される信号列は端末に知られているべきか、又は基地局と同期された後にダウンリンク一斉同報通信制御チャネルを介して伝えられる。ランダムアクセスチャネルを要求する際に、端末は複数の信号列から無作為に１つの信号列を選択することができる。
【００３０】
複数の信号列から選択された信号列によって、異なるデータレートを有する１つの又は様々なランダムアクセスチャネルを要求することができる。ランダムアクセスチャネルのデータレートは拡散係数によって設定され得る。例えば、第１の信号列は６４Kbits/sのデータレートを有するランダムアクセスチャネルを要求することを意味し、第２の信号列は３２Kbits/sのデータレートを有するランダムアクセスチャネルを要求することを意味する場合がある。
【００３１】
指定ランダムアクセスチャネルを使用する端末と基地局の間で制御データが単純に交換されるよう、基地局は例えば準備メッセージによって１つの端末に対する指定ランダムアクセスチャネルの使用時間を示すこともできる。或いは、使用時間をシステムパラメータとして予め決めることも可能である。
【００３２】
端末は、最初は最小のエネルギーで信号列を送信することができる。端末は、準備メッセージを受信しなければ、更なる信号列を増加されたエネルギーで送信することができる。この処理は、最大エネルギー値まで又は基地局から送信される準備メッセージを受信するまで繰り返される。
【００３３】
本発明は、ＧＳＭ又はＵＭＴＳ（汎用移動通信システム）の移動無線システムのような任意の現行の移動式無線システム又は将来導入される移動式無線システムに更なる回路部として挿入され得る。図３及び図４は基地局の受信器及び送信器をそれぞれ示し、図５及び図６は端末の受信器及び送信器をそれぞれ示す。
【００３４】
図３に示す基地局の受信器のブロック図は（例えばＧＳＭ移動式無線システム又はＣＤＭＡシステムから）既知である要素として、アンテナ１５、高周波ブロック１６、中間周波ブロック１７、アナログ／デジタル変換器１８、復調器１９、及び例えばチャネルデマルチプレキシング、逆インタリーブ、チャネルデコーディング、及びＣＤＭＡシステムが使用される場合には逆拡散の切換機能を行なうブロック２０を含む。ベースバンド内で発生した制御信号及びユーザ信号は、例えば交換局のような更なる処理を行なうユニットに様々な信号を送信するチャネルアクセス制御ブロック２３に供給される。本発明では、基地局の受信器は信号列を有するかどうか受信した信号を確認する整合フィルタ２１を含む。信号列が検出されると、このことは次のピーク検出器２２によって確認され、例えばプロセッサのようなチャネルアクセス制御ブロック２３に伝えられる。チャネルアクセス制御ブロック２３はこのメッセージを、回路内の下流側にあり図示されない更なる制御要素に伝え、例えばそこから発生した制御データによってユーザチャネルを基地局の送信器を介し端末に割当てる。
【００３５】
図４に示す基地局の送信器も様々なソース２５からデータを受け取るチャネルアクセス制御ブロック２４を含む。このソースは例えばユーザデータを発生させる交換局或いは制御データを供給する制御要素の場合がある。これらの制御データには、前に、信号列によってランダムアクセスチャネルを要求した端末に対し、使用されるべき指定ランダムアクセスチャネルについての準備メッセージが含まれる場合がある。制御ブロック２４に続くブロック２６は、例えばチャネルコーディング、インタリーブ、チャネルマルチプレキシング、及びＣＤＭＡシステムが使用される場合は更に拡散の切換機能を実行する。ブロック２６の出力信号は、変調器２７、デジタル／アナログ変換器２８、中間周波ブロック２９、及び高周波ブロック３０を介しアンテナ３１に供給される。全ての要素２５乃至３１は現行の移動式無線システムから既知である要素である。
【００３６】
図５は端末の受信器のブロック回路図を示す。この受信器は例えばＧＳＭ移動式無線システム又はＣＤＭＡシステムから既知である要素として、アンテナ３２、高周波ブロック３３、中間周波ブロック３４、アナログ／デジタル変換器３５、復調器３６、幾つかの機能を有するブロック３７、及び様々な流れ（例えばユーザデータを音声データに変換する低周波回路）に制御データ及びユーザデータを供給するアクセス制御ブロック３８を含む。ブロック３７は例えば、チャネルデマルチプレキシング、逆インタリーブ、チャネルデコーディング、及びＣＤＭＡシステムが使用される場合は逆拡散の切換機能を有する。チャネルアクセス制御ブロック３８は、例えば、ユーザチャネル又はダウンリンク一斉同報通信制御チャネルのような端末に関連のあるチャネルを評価する。この評価は端末内の図示されない他の回路要素に送られる。
【００３７】
端末は、その関連のブロック回路図が図６に示される送信器内に、チャネルへのアクセスを制御するチャネルアクセス制御ブロック３９を含む。チャネルアクセス制御ブロック３９はデータを、チャネルコーディング、インタリーブ、チャネルマルチプレキシング、及びＣＤＭＡシステムが使用される場合は拡散の切換機能を実行するブロック４２に運ぶ。ユーザデータ及び制御データはチャネルアクセス制御ブロック３９によって異なるソースから受信される。このソースは例えば、ユーザデータとして音声データを発生させる低周波回路又は制御データを供給する制御要素の場合がある。これらの制御データは例えば信号列の開始時刻についての情報である。時間制御器４０は信号列が送信された時間と更に時間スロットの始まりと終わりを示す。発生器は様々な信号列を記憶するメモリを含む。送信されるべき信号列はチャネルアクセス制御ブロックから選択される。信号列は発生器４１のメモリ内に適当に書込まれる場合もある。発生器４１及び時間制御器４０は、使用される信号列に関する情報を受け取った後に初期化される。関連の基地局によって信号列及び／又は開始時刻の変更が指示されなければ、発生器４１及び時間制御器４０の更なる初期化は必要ではない。
【００３８】
ブロック４２内で処理されたユーザデータ及び制御データは、発生器４１からの出力信号も受け取る重ね合わせ回路４３に供給される。重ね合わせ回路４３によって発生された出力信号は復調器４４を介し、デジタル／アナログ変換器４５、中間周波ブロック４６、及び高周波ブロック４７に送信され、高周波ブロック内で形成された信号はアンテナ４８によって放射される。
【図面の簡単な説明】
【図１】  複数の基地局と複数の端末を含むワイヤレスネットワークを示す図である。
【図２】  端末によって送信された信号列と、信号列が受信された後に基地局の受信器によって受信された整合フィルタの出力信号を示す図である。
【図３】  基地局の受信器を示す図である。
【図４】  基地局の送信器を示す図である。
【図５】  端末の受信器を示す図である。
【図６】  端末の送信器を示す図である。
【図１】
0004574919.tif 000002
【図２】
0004574919.tif 000003
【図３】
0004574919.tif 000004
【図４】
0004574919.tif 000005
【図５】
0004574919.tif 000006
【図６】
0004574919.tif 000007